(57)【要約】【課題】ペットや人間が着用することにより蚊等の虫に刺されにくくなるとともに、犬が蚊に刺されてフィラリア等の病気になることもなく、また、それを着用することにより、ペットの体温が上昇して体調が不良になったり、人間の場合は蒸れて不快になることもない防虫シートを提供する。【解決手段】網状に形成され、防虫加工が施されると共に通気性を有することを特徴とする。蚊等の虫が忌避する成分が含まれる染色材で着色された素材を用いて形成することができ、撥水加工や紫外線防止加工が施される場合もある。そして、ペットや人間が着用しうる衣服等の形状に形成される。【選択図】　　　　図２
0003098289.tif 000002
【実用新案登録請求の範囲】
【請求項１】
網状に形成され、防虫加工が施されると共に通気性を有することを特徴とする防虫シート。
【請求項２】
蚊等の虫が忌避する成分が含まれる染色材で着色された素材を用いて形成されていることを特徴とする請求項１記載の防虫シート。
【請求項３】
撥水加工が施されていることを特徴とする請求項１又は２記載の防虫シート。
【請求項４】
紫外線防止加工が施されていることを特徴とする請求項１、２又は３記載の防虫シート。
【請求項５】
ペットが着用しうるチョッキ等衣服の形状に形成されていることを特徴とする請求項１，２，３又は４記載の防虫シート。
【請求項６】
人間が着用する帽子やヘルメットに装着しうる形状に形成されていることを特徴とする請求項１，２，３又は４記載の防虫シート。
【請求項７】
ペット用の小屋の壁や天井に張設したり、小屋全体を外方から被覆しうる形状に形成されていることを特徴とする請求項１，２，３又は４記載の防虫シート。
【考案の詳細な説明】
【０００１】
【考案の属する技術分野】
本考案は防虫シートに係り、特に、ペットや人間に着用可能な防虫シートに関する。
【０００２】
【従来の技術】
例えば、夏期に、犬を散歩させている途中で、その犬の鼻及び体のその他の部位が蚊、蚤、虱、その他の虫に刺されることがあった。そして、犬が蚊に刺されるとフィラリア等の病気になることもあった。
また、同様に人間も夏期にアウトドアで作業している場合に、顔や首などが蚊などに刺されることが多かった。このような事情は、特に、山中や水辺で作業を行なう場合には多く発生していた。
【０００３】
従来、愛犬などの動物を健康で快適に飼育することを目的として、防蚊性を具えるように形成された動物用シート部材が公知である（例えば、特許文献１参照）。
【０００４】
【特許文献１】
特開平１０−１３６８１８号公報
【０００５】
しかしながら、上記公知例のシートは、アクリル繊維等の合成繊維、綿やウール等の天然繊維からなる織布により形成されている。このようなシートにより体温の高い犬等の全身を覆うと、暑さに弱い犬等の体温がさらに上昇して体調が崩れたり、病気になるという不具合がある。
また、人間が夏期等に屋外で作業する場合、特に夜間などでは蚊に悩まされる。従って、人間が着用しても、体温で蒸れてしまうことがなく、蚊等の虫を積極的に排除できれば便利である。
【０００６】
【考案が解決しようとする課題】
本考案は、ペットや人間が着用することにより蚊等の虫に刺されにくくなるとともに、それを着用することにより、ペットの体温が上昇して体調が不良になったり、ペットが病気になることがなく、又、人間も蒸れて不快になることを回避できる防虫シートの提供を課題とする。
【０００７】
【課題を解決するための手段】
上記課題を解決するために、本考案の防虫シートは、網状に形成され、防虫加工が施されると共に通気性を有することを特徴とするものである。
【０００８】
これにより、本考案に係る防虫シートにあっては、これをペットや人間が着用することによって防虫作用により蚊やその他の虫に刺されにくくなるとともに、例えば愛犬が蚊に刺されてフィラリア等の病気になることも予防できる。
また、網状に形成されているので通気性が良くなって、ペットの体温上昇を回避したり、蒸れにより人間が不快になるのを回避することができる。
【０００９】
また、本考案の防虫シートは、蚊等の虫が忌避する成分が含まれる染色剤で着色された素材を用いて形成されているものとすることができる。
【００１０】
これにより、本考案に係る防虫シートにあっては、防虫作用を簡単に持たせることができる
【００１１】
また、本考案の防虫シートは、撥水加工が施されているものとすることができる。
【００１２】
これにより、本考案に係る防虫シートにあっては、雨や水に濡れにくくなるので、アウトドアで着用した場合に便利である。
【００１３】
また、本考案の防虫シートは、紫外線防止加工が施されているものとすることができる。
【００１４】
これにより、本考案に係る防虫シートにあっては、これを着用することにより肌を保護することができる。
【００１５】
また、本考案の防虫シートは、ペットが着用しうるチョッキ等衣服の形状に形成されているものとすることができる。
【００１６】
これにより、本考案に係る防虫シートにあっては、ペットに簡単に着用させることができる。
【００１７】
また、本考案の防虫シートは、人間の着用する帽子やヘルメットに装着しうる形状に形成されているものとすることができる。
【００１８】
これにより、本考案に係る防虫シートにあっては、特に人間の顔や首などが蚊やその他の虫に刺されるのを防止することができる。
【００１９】
また、本考案の防虫シートは、ペット用の小屋の壁や天井に張設したり、小屋全体を外方から被覆しうる形状に形成されているものとすることができる。
【００２０】
これにより、本考案に係る防虫シートにあっては、蚊やその他の虫の侵入を排除することにより、ペットの居住空間を快適にすることができる。
【００２１】
【考案の実施の形態】
以下、添付した図面を用いて本考案の実施の形態について説明する。
まず、図１〜図４に示すように、本実施の形態に係る防虫シート１，２，３は、網状に形成され、防虫加工が施されると共に通気性を有している。
また、上記防虫シート１，２，３は、蚊等の虫が忌避する成分が含まれる染色剤で着色された素材を用いて形成されている。
また、上記防虫シート１，２，３には撥水加工が施されている。
また、上記防虫シート１，２，３には紫外線防止加工が施されている。
また、図１及び図２に示した実施形態では、上記防虫シート１は、犬等のペットが着用しうるチョッキ等衣服の形状に形成されている。
また、図３に示した実施形態では、上記防虫シート２は、人間が着用する帽子１６やヘルメットに装着しうる形状に形成されている。
また、図４に示した実施形態では、上記防虫シート３は、ペット用の小屋の壁２１や天井２２に張設したり、小屋全体を外方から被覆しうる形状に形成されている。
【００２２】
以下、本実施の形態をより詳細に説明する。
まず、上記防虫シート１，２，３は、シート状部材４，５，６に、図１〜図４に示すように、網状部、いわゆるメッシュ部７，８，９が全体に亘って形成されていて、その周縁部が縁布１０，１１，１２により被覆されている。
【００２３】
本実施の形態に係る上記シート状部材４，５，６はポリエステルを素材として形成されている。なお、素材としては上記ポリエステルが最適であるが、テトロン等その他の素材も使用可能である。
【００２４】
上記ポリエステル等の素材は適宜な色の染色材により着色されているが、その染色材には、蚊やその他の虫が忌避する成分が含まれている。蚊やその他の虫が忌避する物質は種々存在するが、適宜なものを選択可能である。
【００２５】
したがって、上記素材を用いて形成された上記シート状部材４，５，６は防虫作用を有している。
【００２６】
また、上記シート状部材４，５，６には撥水加工が施されている。この撥水加工は、例えば、適宜な撥水材を上記シート状部材４，５，６にコーティングすることによって施すことができるが、実施する撥水加工法は自由である。
【００２７】
さらに、上記シート状部材４，５，６には紫外線防止加工も施されている。この紫外線防止加工も、適宜な紫外線防止材を上記シート状部材４，５，６にコーティングすることによって施すことができるが、実施する紫外線防止加工法も自由である。
【００２８】
図１に示した実施形態に係る上記シート状部材４は、太幅なベルト状に形成されて、その長さ方向の両端部に、犬の胴部に巻き付けてから、同所を互いに着脱可能に接続するための雌雄の面ファスナ１３，１４が取付けられるとともに、前側の縁部には後方へ向って切込部１５が設けられ、同切込部１５から犬の前脚を出して同前脚が自由に運動できるように形成されている。
なお、両端部の接続手段は自由であり、上記面ファスナ１３，１４に限定されない。
【００２９】
また、上記シート状部材４は、図２に示すように、犬の首の回りに巻き付け可能な首輪帯部２３が一体に付設された形状にすることも可能である。
【００３０】
なお、上記シート状部材４は、犬の体に着用できる限りデザインは自由であり、上記形状に限定されない。また、サイズも自由である。
【００３１】
また、上記実施形態は犬用の衣服としているが、その他のペット、例えば猫用の衣服として実施することも可能である。
【００３２】
次に、図３に示した実施形態に係る防虫シート２は、人間が着用しうるように形成されている。より詳しく言えば、人間が頭に被る帽子１６やヘルメットに装着できる形状及びサイズに形成されている。
【００３３】
上記防虫シート２は、図３に示すように、帽子１６の両サイドと、後部に一連に取付けられ、垂れ下がることにより、顔の側部と、首の後部を覆うことができるように形成されている。
【００３４】
上記防虫シート２における上辺部と、上記帽子１６の内面部には、互いに対面する複数箇所に、互いに着脱可能に接続しうる雌雄の面ファスナ１７，１８が取付けられている。
なお、取付手段は自由であり、上記面ファスナ１７，１８に限定されない。
また、上記防虫シート２は上記帽子１６やヘルメットに対し接着剤やリベット等で固着することも可能であるが、上記のように帽子１６やヘルメットから取り外し可能にすれば、洗濯が繰り返し可能となって衛生的である。
【００３５】
また、上記帽子１６に取付ける上記防虫シート２は、帽子１６のツバ１９に取付けて、顔の前に垂れ下がって顔を覆うことができるような形状に形成することも可能である。
【００３６】
次に、図４に示した実施形態に係る防虫シート３は、犬小屋２０の内部の壁２１と天井２２に張設できるような形状及びサイズに形成されている。
【００３７】
上記防虫シート３は、犬小屋２０の内部の壁２１及び天井２２に上記と同様に雌雄の面ファスナ〈図は省略〉等により着脱可能に取付けられている。
なお、この場合も取付手段は自由であり、上記面ファスナに限定されない。
また、上記防虫シート３は、例えば、接着剤や釘等で固着することも可能であるが、上記のように着脱可能として、繰り返し洗濯可能とすれば、衛生的であり、犬の健康にも良い。
なお、本実施の形態にあっては、上記防虫シート３を犬小屋２０の内部に張設した場合を例にして説明したが、上記実施形態に限定されず、犬小屋２０全体を外方から上記防虫シート３により被覆するように構成してもよい。
【００３８】
【作用】
以下、本実施の形態に係る防虫シート１，２，３の作用について説明する。
上記防虫シート１，２，３は、そのシート状部材４，５，６に防虫加工が施されているので、蚊や、その他の虫、例えば蚤、虱等に忌避されて近寄られることがないので、これを犬や猫等のペットや人間が着用すれば、蚊やその他の虫に刺されたりしないので、病気にならず、快適に生活や作業をすることができる。
また、犬小屋２０の壁２１や天井２２に取付ければ、犬は体に着用しなくても防虫効果を得ることができる。
【００３９】
そして、上記シート状部材４，５，６にはメッシュ部７，８，９が形成されているので、風通しが良く、夏など暑い季節に着用した場合でも、それを着用したペットや人間がそれほど暑く感じることがない。
したがって、特に暑さに弱い犬等が着用しても、暑さで体調が不良になることはなく、着用感が快適であり、人間の場合は蒸れて不快になることがない。
【００４０】
【考案の効果】
請求項１記載の本考案の防虫シートは、防虫加工が施されるとともに、網状に形成され、いわゆるメッシュ部が形成されているので、これをペットや人間が着用することによって防虫作用により蚊やその他の虫等に刺されにくくなって病気になることを防止できるとともに、通気性が良いので、ペットの体温上昇による体調不良を回避したり、人間が蒸れにより不快になるのを回避することができる。
【００４１】
請求項２記載の本考案の防虫シートは、蚊やその他の虫が忌避する成分が含まれる染色材で着色された素材を用いて形成されので、容易に防虫作用を持たせることができる。
【００４２】
請求項３記載の本考案の防虫シートは、撥水加工が施されているので、雨や水に濡れにくく、アウトドアで着用した場合に便利である。
【００４３】
請求項４記載の本考案の防虫シートは、紫外線防止加工が施されているので、これを着用することにより肌を保護することができる。
【００４４】
請求項５記載の本考案の防虫シートは、ペットが着用しうるチョッキ等衣服の形状に形成されているので、ペットに簡単に着用させることができる。
【００４５】
請求項６記載の本考案の防虫シートは、人間が着用する帽子やヘルメットに装着しうる形状に形成されているので、特に人間の顔や首などが蚊等に刺されるのを防止することができる。
【００４６】
請求項７記載の本考案の防虫シートは、ペット用の家の壁や天井に張設したり、小屋全体を外方から被覆しうる形状に形成されているので、蚊等の虫の侵入を防いでペットの居住空間を快適にすることができる。
【図面の簡単な説明】
【図１】本実施の形態に係る防虫シートの斜視図である。
【図２】本実施の形態に係る防虫シートの使用状態を示す斜視図である。
【図３】本実施の形態に係る防虫シートの使用状態を示す断面図である。
【図４】本実施の形態に係る防虫シートの使用状態を示す断面図である。
【符号の説明】
１　防虫シート
２　防虫シート
３　防虫シート
４　シート状部材
５　シート状部材
６　シート状部材
７　メッシュ部
８　メッシュ部
９　メッシュ部
１０　縁布
１１　縁布
１２　縁布
１３　面ファスナ
１４　面ファスナ
１５　切込部
１６　帽子
１７　面ファスナ
１８　面ファスナ
１９　ツバ
２０　犬小屋
２１　壁
２２　天井
２３　首輪帯部
【図１】
0003098289.tif 000003
【図２】
0003098289.tif 000004
【図３】
0003098289.tif 000005
【図４】
0003098289.tif 000006